(57)【要約】      （修正有）【課題】製造が容易であり、セキュリティ性の向上と審美性の向上に柔軟に対応する記録媒体を提供する。【解決手段】記録媒体は、平板状の基材１１と、基材１１上に熱転写により形成された平面視、所定の形状を有する金属箔層２３と、金属箔層２３上に形成され、所定の投影光が照射されることにより画像の投影が可能なホログラムが記録されたホログラム層２２と、を備え、所定の形状により金属箔層２３は、基材１１とともに凹部３０−１、３０−２を形成している。【選択図】図２
0003218527.tif 000002
【実用新案登録請求の範囲】
【請求項１】
平板状の基材と、
前記基材上に熱転写により形成された平面視、所定の形状を有する金属箔層と、
前記金属箔層上に形成され、所定の投影光が照射されることにより画像の投影が可能なホログラムが記録されたホログラム層と、を備え、
前記所定の形状により前記金属箔層は、前記基材とともに凹部を形成している、
記録媒体。
【請求項２】
前記凹部は、穴あるいは溝として形成されている、
請求項１記載の記録媒体。
【請求項３】
前記ホログラム層には、前記ホログラムとしてセキュリティ情報に対応する画像が記録されている、
請求項１又は請求項２記載の記録媒体。
【請求項４】
前記ホログラム層が前記セキュリティ情報を投影可能な最小単位の画像を少なくとも一つ記録可能となるように前記所定の形状が形成されている、
請求項３記載の記録媒体。
【請求項５】
前記所定の形状は、前記最小単位の画像を記録可能な領域を含む形状とされている、
請求項４記載の記録媒体。
【請求項６】
前記ホログラム層は、前記金属箔層の上面を全て覆うように形成されている、
請求項１乃至請求項５のいずれか一項記載の記録媒体。  
【考案の詳細な説明】
【技術分野】
【０００１】
本考案の実施形態は、記録媒体に関する。
【背景技術】
【０００２】
従来、媒体に装飾等の観点で行う印刷技術の一つとして箔押しが知られている。
箔押しは、接着剤を蒸着させた金属箔を金属製の箔押し型（版）を用いて高温・高圧で熱転写する加工を行うものである（例えば、特許文献１参照）。
【先行技術文献】
【特許文献】
【０００３】
【特許文献１】特開２００５−０２２２７２号公報
【考案の概要】
【考案が解決しようとする課題】
【０００４】
しかしながら、上記従来の技術は、審美性を向上させることが主目的であり、セキュリティ性の向上が図れるものではなかった。
また、上記従来の技術では、予め形成した型を用いて箔押しを行っているため、同一のデザインを適用する場合には問題ないが、デザインを変更する場合には、新たに型を作成する必要があり、少量ロットの印刷毎に異なるデザインの箔押しを行うのは非現実的であった。
【０００５】
本考案は、上記に鑑みてなされたものであって、製造が容易であり、セキュリティ性の向上と審美性の向上に柔軟に対応可能な記録媒体を提供することにある。
【課題を解決するための手段】
【０００６】
実施形態の記録媒体は、平板状の基材と、基材上に熱転写により形成された平面視、所定の形状を有する金属箔層と、金属箔層上に形成され、所定の投影光が照射されることにより画像の投影が可能なホログラムが記録されたホログラム層と、を備え、所定の形状により金属箔層は、基材とともに凹部を形成している。
【図面の簡単な説明】
【０００７】
【図１】図１は、実施形態の記録媒体（偽変造防止媒体）の情報記録がなされた状態における外観正面図である。
【図２】図２は、実施形態の記録媒体の模式断面図である。
【図３】図３は、箔押し領域の拡大図である。
【図４】図４は、図３の部分拡大Ａ−Ａ断面図である。
【図５】図５は、箔押し用リボン（箔転写リボン）の説明図である。
【図６】図６は、箔押し領域形成用のデータの説明図である。
【図７】図７は、箔押し領域形成の説明図である。
【考案を実施するための形態】
【０００８】
以下図面を参照して、実施形態について詳細に説明する。
まず、実施形態の記録媒体について説明する。
図１は、実施形態の記録媒体（偽変造防止媒体）の情報記録がなされた状態における外観正面図である。
【０００９】
情報記録がなされた記録媒体１０は、大別すると、基材（被転写媒体）１１と、基材１１の面に形成された箔押し領域１２と、ＩＤ情報、氏名、発行日などの特定情報がモノクロで記録されたモノクロ画像形成領域１３と、証明写真等のフルカラー画像を記録するフルカラー画像形成領域１４と、を備えている。
【００１０】
図１においては、記録媒体１０において、箔押し領域１２、モノクロ画像形成領域１３及びフルカラー画像形成領域１４を除く領域が存在しているが、この領域を設けることなく、箔押し領域１２、モノクロ画像形成領域１３あるいはフルカラー画像形成領域１４として任意に割り当てるように構成することも可能である。
【００１１】
また図１においては、箔押し領域１２、モノクロ画像形成領域１３及びフルカラー画像形成領域１４については、分離して配置しているが、接するように配置したり、いずれかの領域を複数配置したりするようにしてもよい。
【００１２】
図２は、実施形態の記録媒体の模式断面図である。
箔押し領域１２は、図２に示すように、凸部１２Ｘ１〜１２Ｘ３と、基材１１とともに形成される凹部３０−１、３０−２と、を備えている。
ここで、凸部１２Ｘ１〜１２Ｘ３は、同一構成であるので、凸部１２Ｘ１を例としてその層構造について説明する。
【００１３】
凸部１２Ｘ１は、表面側から基材１１側に向かって、保護層２１、ホログラム記録層２２、金属箔層２３及び接着剤層２４が形成されている。
【００１４】
保護層２１は、ホログラム記録層２２、金属箔層２３及び接着剤層２４を保護し、記録媒体１０の長期にわたる劣化を抑制するための層である。
【００１５】
ホログラム記録層２２は、ホログラムとして各種セキュリティ情報が記録される層であり、所定の投影光を照射することにより、各種セキュリティ情報に対応する情報を投影可能となる層である。
【００１６】
この場合において、箔押し領域１２を構成している凸部１２Ｘ１〜１２Ｘ３を平面視した場合に記録しているセキュリティ情報の最小記録単位を記録可能な面積（例えば、１ｍｍ２）以上の面積を有するように設計されている。したがって、セキュリティ情報の確実な投影（再生）が可能となり、記録媒体１０の真贋判定あるいは偽造防止のための層となる。
【００１７】
金属箔層２３は、ホログラム記録層２２と一体に形成されており、記録媒体１０に審美性を付与するとともに、箔押し領域１２において基材１１と共働して形成される凹部３０−１、３０−２により文字、マーク等の各種画像（図１の例の場合、「日本  花子」の文字）を視認可能に形成した層である。
【００１８】
接着剤層２４は、箔押し工程において、保護層２１、ホログラム記録層２２及び金属箔層２３を一体に基材１１に接着するための層である。
【００１９】
次に基材及び各層を構成する材料について説明する。
まず基材１１について説明する。
基材１１としては、一般的にカード、紙、フィルム素材として用いられる、ポリエステル樹脂、ポリエチレンテレフタラート（ＰＥＴ）、グリコール変性ポリエステル（ＰＥＴ−Ｇ）、ポリプロピレン（ＰＰ）、ポリカーボネート（ＰＰ）、ポリ塩化ビニル（ＰＶＣ）、スチレンブタジエンコポリマー（ＳＢＲ）、ポリアクリル樹脂、ポリウレタン樹脂、ポリスチレン樹脂などフィルム状あるいは板状に加工できる樹脂を用いることが可能である。
【００２０】
さらには、上述した樹脂にフィラーとして、シリカ、酸化チタン、炭酸カルシウム、アルミナなどを添加して白色性や表面の平滑性、断熱性等を有する樹脂を基材１１として用いることも可能である。
【００２１】
例えば、また、これらのほかに特許第３８８９４３１号、特許第４２１５８１７号、特許第４３２９７４４号、特許第４３９１２８６号、などに記載の紙（用紙）および樹脂材料を使用可能である。
【００２２】
具体的には、ポリエチレンテレフタレート（Ａ−ＰＥＴ、ＰＥＴＧ）、ポリシクロヘキサン１，４−ジメチルフタレート（ＰＣＴ）、ポリスチレン（ＰＳ）、ポリメチルメタアクリレート（ＰＭＭＡ）、透明ＡＢＳ（ＭＡＢＳ）、ポリプロピレン（ＰＰ）、ポリエチレン（ＰＥ）、ポリビニルアルコール（ＰＶＡ）、スチレンブタジエンコポリマー（ＳＢＲ）、アクリル樹脂、アクリル変性ウレタン樹脂、スチレン／アクリル樹脂、エチレン／アクリル樹脂、ウレタン樹脂、ロジン変性マレイン酸樹脂、塩化ビニル／酢酸ビニル共重合体、ポリビニルアセタール樹脂、ポリアマイド樹脂、ヒドロキシエチルセルロース、ヒドロキシプロピルセルロース、ニトロセルロース等のセルロース系樹脂、ポリオレフィン系樹脂、ポリアミド系樹脂、生分解性樹脂、セルロース系樹脂等のその他の樹脂、紙基材、金属素材等が使用できる。
【００２３】
なお、上記の樹脂類およびフィラーは一例であり、加工性、機能性を満たせば他の材料を使用することも可能である。
【００２４】
上記構成において、好ましくは白色ないし透明な樹脂を使用することが望ましい。
ここで透明とは、可視光領域における光透過率が、可視光領域を平均して３０％以上であることをいう。
【００２５】
次に保護層２１としては、光硬化性樹脂等が用いられて構成される。
ホログラム記録層２２としては、フォトポリマー等が用いられ、セキュリティ情報に対応する情報光と参照光を重ね合わせて得られる干渉縞パターンの強度分布に応じた屈折率変調が形成されて、ホログラム記録がなされている。
金属箔層２３としては、金箔、銀箔、アルミ箔などの金属箔のみで形成することも可能であるが、これに加えて、反射光の色を変更するための色素が金属箔の表面に塗布して構成することも可能である。
接着剤層２４としては、熱可塑性樹脂系接着剤等で構成される。
【００２６】
次にモノクロ画像形成領域１３及びフルカラー画像形成領域１４の構成について説明する。
モノクロ画像形成領域１３は、例えば、顔料粒子を含み、顔料粒子が記録光であるレーザ光を吸収して炭化することにより不可逆的に発色する層として構成され、図２に示すように、黒色に発色した黒色発色領域１３Ｘ１〜１３Ｘ３を備えている。
【００２７】
フルカラー画像形成領域１４は、例えば、図示しないイエロー発色層、マゼンタ発色層、シアン発色層を含み、各発色層は、図示しない中間層を介して分離して配置されている。フルカラー画像形成領域１４を構成する各発色層は、例えば、ポリビニルアルコール、ポリ酢酸ビニル、ポリアクリル、など透明性の高い樹脂類をバインダとして、ある閾値の温度を超えた時に発色する色材としては、ロイコ染料、ロイコ色素又は示温材料、並びに顕色剤を用いる。
ロイコ染料、ロイコ色素又は示温材料としては、３，３−ビス（１−ｎ−ブチル−２−メチル−インドール−３−イル）フタリド、７−（１−ブチル−２−メチル−１Ｈ−インドール−３−イル）−７−（４−ジエチルアミノ−２−メチル−フェニル）−７Ｈ−フロ［３，４−ｂ］ピリジン−５−オン、１−（２，４−ジクロロ−フェニルカルバモイル）−３，３−ジメチル−２−オキソ−１−フェノキシ−ブチル］−（４−ジエチルアミノーフェニル）−カルバミン酸イソブチルエステル、３，３−ビス（ｐ−ジメチルアミノフェニル）フタリド、３，３−ビス（ｐ−ジメチルアミノフェニル）−６−ジメチルアミノフタリド（別名クリスタルバイオレットラクトン＝ＣＶＬ）、３，３−ビス（ｐ−ジメチルアミノフェニル）−６−アミノフタリド、３，３−ビス（ｐ−ジメチルアミノフェニル）−６−ニトロフタリド、３，３−ビス３−ジメチルアミノ−７−メチルフルオラン、３−ジエチルアミノ−７−クロロフルオラン、３−ジエチルアミノ−６−クロロ−７−メチルフルオラン、３−ジエチルアミノ−７−アニリノフルオラン、３−ジエチルアミノ−６−メチル−７−アニリノフルオラン、２−（２−フルオロフェニルアミノ）−６−ジエチルアミノフルオラン、２−（２−フルオロフェニルアミノ）−６−ジ−ｎ−ブチルアミノフルオラン、３−ピペリジノ−６−メチル−７−アニリノフルオラン、３−（Ｎ−エチル−ｐ−トルイジノ）−７−（Ｎ−メチルアニリノ）フルオラン、３−（Ｎ−エチル−ｐ−トルイジノ）−６−メチル−７−アニリノフルオラン、３−Ｎ−エチル−Ｎ−イソアミルアミノ−６−メチル−７−アニリノフルオラン、３−Ｎ−メチル−Ｎ−シクロヘキシルアミノ−６−メチル−７−アニリノフルオラン、３−Ｎ，Ｎ−ジエチルアミノ−７−ｏ−クロルアニリノフルオラン、ローダミンＢラクタム、３−メチルスピロジナフトピラン、３−エチルスピロジナフトピラン、３−ベンジルスピロナフトピランなどの発色染料を用いることが可能である。
【００２８】
また、顕色剤としては、感熱記録体において電子受容体として使用される酸性物質がいずれも使用できる。
例えば、活性白土、酸性白土等の無機物質、無機酸、芳香族カルボン酸、その無水物またはその金属塩類、有機スルホン酸、その他の有機酸、フェノール系化合物等の有機系顕色剤などが顕色剤として挙げられるが、フェノール系化合物が好ましい。
【００２９】
顕色剤の具体例としては、ビス３−アリル−４−ヒドロキシフェニルスルホン、ポリヒドロキシスチレン、３，５−ジ−ｔ−ブチルサリチル酸の亜鉛塩、３−オクチル−５−メチルサリチル酸の亜鉛塩、フェノール、４−フェニルフェノール、４−ヒドロキシアセトフェノン、２，２′−ジヒドロキシジフェニル、２，２′−メチレンビス（４−クロロフェノール）、２，２′−メチレンビス（４−メチル−６−ｔ−ブチルフェノール）、４，４′−イソプロピリデンジフェノール（別名ビスフェノールＡ）、４，４′−イソプロピリデンビス（２−クロロフェノール）、４，４′−イソプロピリデンビス（２−メチルフェノール）、４，４′エチレンビス（２−メチルフェノール）、４，４′−チオビス（６−ｔ−ブチル−３−メチルフェノール）、１，１−ビス（４−ヒドロキシフェニル）−シクロヘキサン、２，２′−ビス（４−ヒドロキシフェニル）−ｎ−ヘプタン、４，４′−シクロヘキシリデンビス（２−イソプロピルフェノール）、４，４′−スルホニルジフェノール等のフェノール系化合物、該フェノール系化合物の塩、サリチル酸アニリド、ノボラック型フェノール樹脂、ｐ−ヒドロキシ安息香酸ベンジル等などが挙げられる。
【００３０】
また、中間層としては、ポリプロピレン（ＰＰ）、ポリビニルアルコール（ＰＶＡ）、スチレンブタジエンコポリマー（ＳＢＲ）、ポリスチレン、ポリアクリル等を用いることができる。
【００３１】
さらにモノクロ画像形成領域１３及びフルカラー画像形成領域１４の表面には、モノクロ画像あるいはフルカラー画像を視認可能となるように、無色透明の保護層（物理的に保護するばかりでなく、紫外線カット等も含む）が設けられている。
【００３２】
図３は、箔押し領域の拡大図である。
箔押し領域１２は、図３の例の場合、複数の凸部１２Ｘ１〜１２Ｘ５と、複数の凹部３０−１〜３０−６を備えている。
【００３３】
ここで、複数の凹部３０−１〜３０−６は、平面視した場合に文字、マーク等の画像を形成しており、複数の凸部１２Ｘ１〜１２Ｘ５は、画像の背景を構成している。
【００３４】
図３の例の場合は、複数の凹部３０−１〜３０−６は、全周囲を凸部１２Ｘ１〜１２Ｘ５の少なくともいずれかにより囲まれて穴を形成しているが、必ずしも囲まれて穴を形成している必要は無く、いずれかの端部が凸部１２Ｘ１の端部に到るような平面視、切欠き状となって溝を形成していても良い。
【００３５】
図４は、図３の部分拡大Ａ−Ａ断面図である。
図４に示すように、凸部１２Ｘ１と凸部１２Ｘ３とにより、凹部３０−１が形成され、凸部１２Ｘ１、凸部１２Ｘ４及び凸部１２Ｘ５により凹部３０−２が形成されている。
【００３６】
次に実施形態の箔押し領域の形成について説明する。
図５は、箔押し用リボン（箔転写リボン）の説明図である。
箔押し用リボン４０は、箔押し後に剥離されて除去されるテープ状のベースフィルム４１と、ベースフィルム４１の一方の面に形成された保護層２１、ホログラム記録層２２、金属箔層２３及び接着剤層２４と、を備えている。
【００３７】
図６は、箔押し領域形成用のデータの説明図である。
図６（ａ）は、文字を画像として形成する場合の箔押し領域形成用データに対応する画像５０Ａの説明図であり、図中、箔押し領域形成用データに対応する画像５０Ａの黒く表現した部分が箔押し用リボン４０において熱転写を行って、箔押しを形成する部分に相当している。
【００３８】
図６（ｂ）は、マークを画像として形成する場合の箔押し領域形成用データに対応する画像５０Ｂの説明図であり、図中、箔押し領域形成用データに対応する画像５０Ｂの黒く表現した部分が箔押し用リボン４０において熱転写を行って、箔押しを形成する部分に相当している。
したがって、図６（ａ）の画像５０Ａに対応する箔押し領域形成用データの場合及び図６（ｂ）の画像５０Ｂに対応する箔押し領域形成用データの場合のいずれにおいても、黒く表現した部分が凸部を形成し、白く表現した部分が凹部を形成することとなる。
【００３９】
このため、図６（ｂ）の場合は、形成される凸部の面積が凹部の面積と比較して小さくなっているが、上述したように、平面視した場合に記録しているセキュリティ情報の最小記録単位を記録可能な面積（例えば、１ｍｍ２）以上の面積を有する部分が形成されるように黒く表現した部分の形状が設定されている。
【００４０】
次に実施形態の箔押し領域形成装置について説明する。
本実施形態の箔押し領域形成装置は、レーザ記録装置として構成されており、例えば、近赤外レーザ光（＝波長λ）を出力するレーザ発振器と、近赤外レーザ光のビーム径を拡大するビームエキスパンダと、近赤外レーザ光を反射する第１方向スキャンミラーを駆動し、第１方向に近赤外レーザ光を走査するために第１方向スキャンミラーを駆動する第１モータを備えた第１方向走査ユニットと、近赤外レーザ光を反射する第２方向スキャンミラーを駆動し、第１方向と直交する第２方向に近赤外レーザ光を走査するために第２方向スキャンミラーを駆動する第２モータを備えた第２方向走査ユニットと、第１方向走査ユニット及び第２方向走査ユニットを介して導かれた近赤外レーザ光を記録媒体１０に集光する集光レンズ（Ｆ・θレンズ）と、記録媒体１０を所定位置に搬送し、保持するステージと、入力された入力画像データに基づいて、遠赤外レーザ光の照射位置及び照射強度を算出するとともに、レーザ記録装置全体を制御する制御部と、制御部の算出結果に基づいてレーザ発振器のレーザ出力を制御する出力制御部、制御部の算出結果に基づいて第１モータ及び第２モータを制御し、近赤外レーザ光の記録媒体１０への照射位置を制御する照射位置制御部と、を備えている。
【００４１】
上記構成において、レーザ発振器としては、近赤外領域のレーザである半導体レーザ、ファイバーレーザ、ＹＡＧレーザ、ＹＶＯ４レーザ等を用いることが可能である。
【００４２】
次に実施形態の箔押し領域形成装置（レーザ記録装置）における記録媒体１０への記録処理について説明する。
【００４３】
まず、レーザ記録装置の制御部は、図示しない搬送装置を介して記録媒体１０を記録位置まで搬入する。
【００４４】
続いてレーザ記録装置の制御部は、図示しないセンサにより搬入された記録媒体１０を検知し、所定の搬入位置において記録媒体１０を図示しない固定装置により固定する。
【００４５】
続いて、レーザ記録装置の制御部は、図６に示した画像に対応する箔押し領域形成データ並びに所望のモノクロ画像形成データ及びフルカラー画像形成データとしての入力画像データが入力されると、入力画像データを解析し、ピクセル毎の照射データに変換する。
続いて、レーザ記録装置の制御部は、ピクセル毎の形成データ（箔押し領域形成データ、モノクロ画像形成データ及びフルカラー画像形成データ）色データに基づいて、発色させる層の組合せに応じて、色データをレーザ照射パラメータ値に変換する。
【００４６】
ここで、レーザ照射パラメータ値は、具体的には、パワー設定値、走査速度設定値、パルス幅設定値、照射繰返数設定値、走査ピッチ設定値等である。
続いて、制御部は、出力制御部及び照射位置制御部を制御し、設定したレーザ照射パラメータ値に基づいて、近赤外レーザ光を用いて、箔押し領域１２における画像記録を行い、かつ、モノクロ画像形成領域１３及びフルカラー画像形成領域１４の発色を行わせるため画像記録を行う。
【００４７】
図７は、箔押し領域形成の説明図である。
箔押し領域１２においては、近赤外レーザ光Ｌが照射されて、箔押し用リボン４０の箔押し領域形成用データの箔押し領域に対応する部分には、熱が伝達され、加熱領域ＴＡが形成されることとなる。
この結果、箔押し用リボン４０の熱転写層２０は、接着剤層２４の接着力により接着され、熱転写層２０、ひいては、保護層２１、ホログラム記録層２２、金属箔層２３及び接着剤層２４が基材１１に転写された状態となる。
その後、ベースフィルム４１を剥離することで、箔押しが完了する。
以上の説明のように、本実施形態によれば、画像データである箔押し領域形成用データに基づいて熱転写を行うようにしているので、容易に箔押し領域１２の形成箇所及び箔押し領域１２のデザインを変更することができ、所望の箔押しを容易に行うことが可能となる。
さらに箔押し領域には、様々なセキュリティ情報が書き込まれたホログラム記録層２２を配置することができ、セキュリティの向上が図れ、パスポート等高いセキュリティが要求される記録媒体の偽造、改竄を容易に防止し、さらに真贋判定を容易に行うことができる。
【００４８】
以上の説明においては、レーザを用いて箔押し領域１２を形成していたが、サーマルヘッドなどを用いて箔押し領域１２を形成するように構成することも可能である。
【００４９】
本考案のいくつかの実施形態を説明したが、これらの実施形態は、例として提示したものであり、考案の範囲を限定することは意図していない。これら新規な実施形態は、その他の様々な形態で実施されることが可能であり、考案の要旨を逸脱しない範囲で、種々の省略、置き換え、変更を行うことができる。これら実施形態やその変形は、考案の範囲や要旨に含まれるとともに、実用新案登録請求の範囲に記載された考案とその均等の範囲に含まれる。
【符号の説明】
【００５０】
１０    記録媒体
１１    基材
１２    箔押し領域
１２Ｘ１〜１２Ｘ５  凸部
１３    モノクロ画像形成領域
１３Ｘ１  黒色発色領域
１４    フルカラー画像形成領域
２０    熱転写層
２１    保護層
２２    ホログラム記録層
２３    金属箔層
２４    接着剤層
３０−１〜３０−６  凹部
４０    熱転写用リボン
４１    ベースフィルム
４４    照射位置制御部
Ｌ      近赤外レーザ光
ＴＡ    加熱領域
【図１】
0003218527.tif 000003
【図２】
0003218527.tif 000004
【図３】
0003218527.tif 000005
【図４】
0003218527.tif 000006
【図５】
0003218527.tif 000007
【図６】
0003218527.tif 000008
【図７】
0003218527.tif 000009